(57)【特許請求の範囲】
【請求項１】
光源を配設した光源基板と、前記光源からの光を内部で拡散して出射させる導光板と、該導光板を背面側で保持する背面シャーシとを有し、前記光源を前記導光板の一つの側面に対向して設けた照明モジュールを複数配列し、
少なくとも一部の隣接する前記照明モジュールにおいて、一方の前記導光板と前記背面シャーシの一部が他方の前記導光板と前記背面シャーシの前面に重ねられた照明システムであって、
前記一方の導光板の側面のうち、前記他方の導光板の出射面上に配置された側面に、前記一方の導光板の内部で拡散した光を出射させない輝度調整部材が設けられていることを特徴とする照明システム。
【請求項２】
請求項１に記載の照明システムであって、
前記輝度調整部材は、前記一方の導光板の内部で拡散した光を内部に反射する第１反射層と、該第１反射層を覆い、前記他方の導光板の出射面からの光を反射する第２反射層とを備えていることを特徴とする照明システム。
【請求項３】
請求項１に記載の照明システムであって、
前記輝度調整部材は、前記一方の導光板の内部で拡散した光を吸収する光吸収層と、該光吸収層を覆い、前記他方の導光板の出射面からの光を反射する反射層とを備えていることを特徴とする照明システム。
【発明の詳細な説明】
【技術分野】
【０００１】
本発明は、照明システムに関し、詳細には、導光板の側面に光源を配置し、導光板からの出射光により被照明体を照明する照明システムに関する。
【背景技術】
【０００２】
電飾看板などの照明用途として、バックライトを使用して印刷物などの被照明体を照明する照明システムが知られている。このような照明システムでは、駅構内や百貨店などの遠くからでも一目を引き付けるようにするために、大画面化の要請が増大している。また、従来の照明システムでは、バックライトに蛍光管等が用いられていたが、省エネルギー化等の要請から、蛍光管に替えてＬＥＤ（Light Emitting Diode）を光源としたバックライトへの需要も増大している。
【０００３】
ＬＥＤは、一般に色純度が高く、調光安定性や高速応答性に優れている等の観点から、バックライト光源として多く用いられている。
バックライトの構成としては、拡散板の直下にＬＥＤを配置した直下型や、エッジライト型がある。エッジライト型では、複数のＬＥＤが光源基板上に列状に並べられ、ＬＥＤの発光部が導光板の側面と対向するように配置されている。
【０００４】
このため、エッジライト型では、直下型に比べて厚さを薄くすることができ、照明システムの薄型化を促進する点で有利である。また、導光板の上下両側、あるいは左右両側にＬＥＤを配置した所謂２辺エッジ方式の照明システムだけでなく、導光板の上下、あるいは左右のいずれか一方側にＬＥＤを配置した所謂１辺エッジ方式の照明システムも多く用いられている。
【０００５】
各ＬＥＤから出射した光は、導光板の入射面である側面から導光板の内部に入光し、導光板の内部で拡散しながら導光され、前面側（被照明体側）に位置する出射面から出射する。通常、導光板の背面側（被照明体と反対側）には反射シートが設置され、導光板の背面側から漏れ出た光を反射させて前面側に戻し、光の利用効率を高める。
被照明体は、例えばアクリル板などの拡散板の表面に印刷シートを貼り付けられて構成されており、導光板の出射面からの光が印刷シートの印刷内容を照らしている。
【０００６】
エッジライト型のバックライトを有した照明システムに関し、例えば、特許文献１には、二つの導光板を重ね合わせ、例えば運転席側と助手席側とのように、ＬＥＤからの光を２方向に出射させる導光板の構造が開示されている。
【先行技術文献】
【特許文献】
【０００７】
【特許文献１】特開２００８−７７９４６号公報
【発明の概要】
【発明が解決しようとする課題】
【０００８】
上記のような照明システムを製造する場合、そのサイズの量産規格が規定されているわけではなく、多様なサイズの要求が存在する。したがって、照明システム毎に必要な画面サイズに対応しなければならず、通常、照明システム毎に個別に設計して製造されている。このような状況に対し、既に規格化されている照明モジュールを複数使用して所望の画面サイズの照明システムを構築することが考えられる。具体的には、導光板及びエッジライト型のバックライトを含む照明モジュールを複数用意し、隣接する照明モジュールの導光板同士を部分的に重ね合わせればよい。
【０００９】
しかしながら、所望の画面サイズに対応した照明領域を得るために、隣接する照明モジュールの導光板の一部分を重ね合わせると、前側の導光板の側面からの漏れ光が後側の導光板の出射面からの光に加わり、重なり合った部分が周囲に比べて明るくなる（輝度ムラとも言う）という問題がある。上記の特許文献１では、導光板同士が完全に重なっており、導光板同士が部分的に重なり合う構造ではないため、上記の輝度ムラが発生せず、この輝度ムラを解決できるものではない。
【００１０】
本発明は、上述のような実情に鑑みてなされたもので、任意の画面サイズに対応した照明領域を得る際に、画面輝度の均一化を実現することができる照明システムを提供することを目的とする。
【課題を解決するための手段】
【００１１】
上記課題を解決するために、本発明の第１の技術手段は、光源を配設した光源基板と、前記光源からの光を内部で拡散して出射させる導光板と、該導光板を背面側で保持する背面シャーシとを有し、前記光源を前記導光板の一つの側面に対向して設けた照明モジュールを複数配列し、少なくとも一部の隣接する前記照明モジュールにおいて、一方の前記導光板と前記背面シャーシの一部が他方の前記導光板と前記背面シャーシの前面に重ねられた照明システムであって、前記一方の導光板の側面のうち、前記他方の導光板の出射面上に配置された側面に、前記一方の導光板の内部で拡散した光を出射させない輝度調整部材が設けられていることを特徴としたものである。
【００１２】
第２の技術手段は、第１の技術手段において、前記輝度調整部材は、前記一方の導光板の内部で拡散した光を内部に反射する第１反射層と、該第１反射層を覆い、前記他方の導光板の出射面からの光を反射する第２反射層とを備えていることを特徴としたものである。
【００１３】
第３の技術手段は、第１の技術手段において、前記輝度調整部材は、前記一方の導光板の内部で拡散した光を吸収する光吸収層と、該光吸収層を覆い、前記他方の導光板の出射面からの光を反射する反射層とを備えていることを特徴としたものである。
【発明の効果】
【００１４】
本発明によれば、隣接する照明モジュールの導光板同士を重ね合わせるため、任意の画面サイズに対応した照明領域を得ることができる。そして、一方の導光板の側面には、その内部で拡散した光を出射させない輝度調整部材が設けられるので、導光板の重なり合った部分がその周囲に比べて明るくなるのを防止でき、画面輝度の均一化を実現することができる。
【図面の簡単な説明】
【００１５】
【図１】本発明による照明システムを構成する単体の照明モジュールの組み立て構成の一例を示す図である。
【図２】本発明による照明システムを構成する単体の照明モジュールの側断面を示す図である。
【図３】本発明による照明システムの構成例を示す図であって、照明システムの正面概略図である。
【図４】図３に示す照明システムの側断面概略図である。
【図５】図３に示す照明システムの斜視概略図である。
【図６】本発明による照明システムの他の構成例を示す図であって、照明システムの平面概略図及び正面概略図である。
【発明を実施するための形態】
【００１６】
図１は、本発明による照明システムを構成する単体の照明モジュールの組み立て構成の一例を示す図であり、図２は、本発明による照明システムを構成する単体の照明モジュールの側断面を示す図である。本発明に係る照明システムは、照明モジュール１０を複数使用し、任意の照明領域を得るために、隣接する照明モジュール１０の一部を重ね合わせるように構成する。まず、図１，２により、照明システムを構成するための単体の照明モジュール１０の構成を説明する。
【００１７】
照明モジュール１０は、照明モジュールを支持するバックライトシャーシ（背面シャーシ）１１と、反射シート１２と、導光板１３とを有し、これらがバックライトシャーシ１１の前面側に積層されて組み立てられる。なお、図２に示すように、照明モジュール１０は、バックライトシャーシ１１の背面側に、電源ドライバ１７も有している。
導光板１３は、アクリル樹脂やポリカーボネート樹脂、シクロオレフィン系樹脂（ＣＯＰ）などの材料で作成され、例えば３ｍｍ程度の厚みを有した平板状に形成されている。
【００１８】
例えば、１辺エッジ方式の照明モジュール１０では、導光板１３の一つの側面１３ｉに対向するように、光源となるＬＥＤ１５が設けられる。ＬＥＤ１５は光源基板１４に列状に配置されており、光源基板１４はハーネス（図示省略する）等を介して電源ドライバ１７に接続されている。ＬＥＤ１５としては、一つのＬＥＤで白色を発光する白色ＬＥＤや、ＲＧＢの個々の単色光を発光するＬＥＤが用いられる。白色ＬＥＤは低コストで、必要とするＬＥＤの個数の関係からトータルの消費電力を抑えることができる等の利点がある。ＲＧＢの単色発光のＬＥＤを用いることで、広い色域性能が得られる。
【００１９】
ＬＥＤ１５で発光した光は、導光板１３の側面１３ｉから入射し、導光板１３の内部で拡散しながら導光され、導光板１３の出射面１３ｇ（図１の上側や図２の左側）から出射することで、その出射面１３ｇの前面側に置かれた被照明体を照明することができる。図１に示すように、側面１３ｉに対向する他方の側面１３ｈには、漏れ光による輝度ムラ等を抑えるために、反射テープ１９を貼付してもよい。
【００２０】
また、導光板１３の背面側に設けられた反射シート１２は、導光板１３の背面側から漏れ出た光を反射させて前面側に戻し、光の利用効率を高めている。反射シート１２としては、例えば微発泡のＰＥＴシートが用いられる。
これら導光板１３及び反射シート１２は、金属板などにより形成されたバックライトシャーシ１１に位置決めされている。
【００２１】
バックライトシャーシ１１に剛性を付与するために、凹凸の絞り加工を施したり、バックライトシャーシ１１の背面側に補助金具等を取り付けるようにしてもよい（いずれも図示省略する）。バックライトシャーシ１１の端部は、光源基板１４を取り付けるように曲折され、その部分には、反射シート１２及び導光板１３をバックライトシャーシ１１に固定するベゼル１６が取り付けられる。
【００２２】
なお、図２で説明したＬＥＤ１５の素子の幅は、導光板１３の厚さとほぼ同じに設定されるため、必然的に光源基板１４の幅（導光板１３の厚さ方向の幅）は、導光板１３の厚さよりも大きくなる。したがって、光源基板１４は、導光板１３の表裏の面に対して、導光板１３の厚さ方向に突出する形状となる。この場合、バックライトシャーシ１１の端部を屈曲させてその壁部に光源基板１４を取り付けるようにすると、バックライトシャーシ１１の反対側、つまり、導光板１３の出射面１３ｇに、光源基板１４がより大きく突出するようになる。
【００２３】
このような単体の照明モジュール１０を複数組み合わせて所望の照明領域を有する照明システムを作成する際に、後述のように、隣接する照明モジュール１０の光源基板１４の位置が、導光板１３についてそれぞれ互いに反対側になるように構成してもよい。これにより、光源基板１４の突出による照明システム全体の厚さの増大を抑えることができる。
【００２４】
図３は、本発明による照明システムの構成例を示す図であって、照明システムの正面概略図、図４は、図３に示す照明システムの側断面概略図であり、図５は、図３に示す照明システムの斜視概略図である。
本実施形態においては、上述したような単体の照明モジュール１０ａ，１０ｂを二つ組み合わせて、所定の照明領域を持った照明システム１を構築する。各照明モジュール１０ａ，１０ｂは、上記図１，２で説明した照明モジュール１０と同じものである。
【００２５】
この場合、図３に示すように、照明システム１は、二つの照明モジュール１０ａ，１０ｂの一部を前後方向に重ね合わせて作成される。これにより、二つの導光板１３の出射面１３ｇから光がそれぞれ出射し、広い領域で被照明体を照明することができる。このとき、図４に示すように、前面側に重ねられた照明モジュール１０ａの導光板１３の背面には、バックライトシャーシ１１が存在しているため、その背後に重ねられた別の照明モジュール１０ｂの導光板１３からの光は、照明モジュール１０ａのバックライトシャーシ１１で遮られている。
【００２６】
しかし、上記のように、照明モジュール１０ａの背後に別の照明モジュール１０ｂを重ねて照らすと、この背面側に位置する照明モジュール１０ｂの導光板１３からの光が、前面側に位置する照明モジュール１０ａの導光板１３の側面から漏れ出た光の影響を直接受けることになる。
ここでは、図３，４に示すように、二つの隣接する照明モジュール１０ａ，１０ｂにおいて、右側に位置する一方の照明モジュール１０ａのＬＥＤ１５を照明システム１の上側に配置し、左側に位置する他方の照明モジュール１０ｂのＬＥＤ１５を、その反対側の側面である照明システム１の下側に配置している。
【００２７】
このため、右側に位置する照明モジュール１０ａの左右の両側面１３ｊ，１３ｋのうち、左側に位置する照明モジュール１０ｂの出射面１３ｇ上に配置された側面１３ｋから漏れ出た光が、照明モジュール１０ｂの出射面１３ｇからの光に加わり、重なり合った部分が周囲に比べて明るくなる。
そこで、本実施形態で言えば、右側に位置する照明モジュール１０ａの側面１３ｋに、輝度調整部材１８を設けている。これにより、左側に位置する照明モジュール１０ｂの出射面１３ｇからの光は、右側に位置する照明モジュール１０ａの側面１３ｋからの光の影響を直接受けなくなり、二つの導光板１３の前面側の領域全体で均一な照明光を出射させることができる。
【００２８】
具体的には、図５に示すように、輝度調整部材１８は、例えば２層構造であり、照明モジュール１０ａの側面１３ｋに貼付される反射テープ１８ａと、この反射テープ１８ａを覆う反射テープ１８ｂとで構成されている。側面１３ｋに貼付される反射テープ１８ａは、本発明の第１反射層に相当し、照明モジュール１０ａの導光板１３の内部で拡散した光を反射して外部に出射させないように機能する。反射テープ１８ａを覆う反射テープ１８ｂは、本発明の第２反射層に相当し、照明モジュール１０ｂの出射面１３ｇからの光を反射するように機能する。これら反射テープ１８ａ，１８ｂには、例えば微発泡のＰＥＴシートが用いられ、導光板１３の側面１３ｋと同じ幅（約３ｍｍ）、同じ長さで形成されて側面１３ｋを塞いでいる。
【００２９】
なお、輝度調整部材１８は、側面１３ｋに貼付される光吸収テープ（遮光テープとも言う）と、この光吸収テープを覆う反射テープとで構成された２層構造であってもよい。側面１３ｋに貼付される光吸収テープが、本発明の光吸収層に相当し、照明モジュール１０ａの導光板１３の内部で拡散した光を遮って外部に出射させないように機能する。光吸収テープには、例えば黒色のポリエステルフィルムが用いられる。一方、光吸収テープを覆う反射テープが、本発明の反射層に相当し、黒色の光吸収テープを隠すと共に、照明モジュール１０ｂの出射面１３ｇからの光を反射するように機能する。反射テープには、例えば微発泡のＰＥＴシートが用いられる。
【００３０】
図６は、本発明による照明システムの他の構成例を示す図であって、照明システムの平面概略図及び正面概略図である。
本実施形態においては、上述したような単体の照明モジュール１０ａ〜１０ｆを六つ組み合わせて、所定の照明領域を持った照明システム１ａを構築する。各照明モジュール１０ａ〜１０ｆは、上記図１，２で説明した照明モジュール１０と同じものである。
【００３１】
詳しくは、図６に示すように、照明モジュール１０ａのＬＥＤ１５を照明システム１ａの上側に配置し、照明モジュール１０ｂのＬＥＤ１５を照明システム１ａの下側に配置すると共に、二つの照明モジュール１０ａ，１０ｂの各導光板１３が面一になるように上下に並べている。
二つの照明モジュール１０ｃ，１０ｄや、二つの照明モジュール１０ｅ，１０ｆについても同様に、各導光板１３が面一になるように上下に並べるが、照明システム１ａでは、中央に位置する照明モジュール１０ａ，１０ｂの背後に、照明モジュール１０ｃ，１０ｄの一部や照明モジュール１０ｅ，１０ｆの一部を重ねている。
【００３２】
図６の平面概略図に示すように、中央に位置する照明モジュール１０ａ，１０ｂが、左側に位置する照明モジュール１０ｃ，１０ｄや、右側に位置する照明モジュール１０ｅ，１０ｆよりも前面側に配置されるため、図６の正面概略図に示すように、照明モジュール１０ａ，１０ｂの各導光板１３の左右の両側面に、輝度調整部材１８をそれぞれ設けている。これにより、照明モジュール１０ｃ，１０ｄの各出射面１３ｇからの光や照明モジュール１０ｅ，１０ｆの各出射面１３ｇからの光は、照明モジュール１０ａ，１０ｂの左右の両側面からの光の影響を直接受けなくなり、各導光板１３の前面側の領域全体で均一な照明光を出射させることができる。
【００３３】
なお、上記実施例では、エッジライト型を例に挙げて説明したが、本発明は、直下型のバックライトを有した照明システムにも適用可能である。また、図５の輝度調整部材は２枚で形成したものを示したが、１枚で形成してもよい。
【００３４】
以上、実施例について説明したが、本発明は、光源を配設した光源基板と、前記光源からの光を内部で拡散して出射させる導光板と、該導光板を背面側で保持する背面シャーシとを有し、前記光源を前記導光板の一つの側面に対向して設けた照明モジュールを複数配列し、少なくとも一部の隣接する前記照明モジュールにおいて、一方の前記導光板と前記背面シャーシの一部が他方の前記導光板と前記背面シャーシの前面に重ねられた照明システムであって、前記一方の導光板の側面のうち、前記他方の導光板の出射面上に配置された側面に、前記一方の導光板の内部で拡散した光を出射させない輝度調整部材が設けられていてもよい。
【００３５】
このように、隣接する照明モジュールの導光板同士を重ね合わせるため、任意の画面サイズに対応した照明領域を得ることができる。そして、一方の導光板の側面には、その内部で拡散した光を出射させない輝度調整部材が設けられるので、導光板の重なり合った部分がその周囲に比べて明るくなるのを防止でき、画面輝度の均一化を実現することができる。
【００３６】
また、前記輝度調整部材は、前記一方の導光板の内部で拡散した光を内部に反射する第１反射層と、該第１反射層を覆い、前記他方の導光板の出射面からの光を反射する第２反射層とを備えていてもよい。この場合、第１反射層が一方の導光板の内部で拡散した光を反射して出射させないので、導光板の重なり合った部分がその周囲に比べて明るくなるのを防止できる。また、第２反射層が第１反射層を覆うので、第１反射層が招く輝度ムラも防ぐことが可能になる。
【００３７】
また、前記輝度調整部材は、前記一方の導光板の内部で拡散した光を吸収する光吸収層と、該光吸収層を覆い、前記他方の導光板の出射面からの光を反射する反射層とを備えていてもよい。この場合、光吸収層が一方の導光板の内部で拡散した光を吸収して出射させないので、導光板の重なり合った部分がその周囲に比べて明るくなるのを防止できる。また、光吸収層は黒色等の濃い色で構成されることが多いが、反射層が光吸収層を覆うので、黒色等の光吸収層が招く輝度ムラも防ぐことが可能になる。
【符号の説明】
【００３８】
１，１ａ…照明システム、１０，１０ａ〜１０ｆ…照明モジュール、１１…バックライトシャーシ、１２…反射シート、１３…導光板、１３ｇ…出射面、１３ｈ〜１３ｋ…側面、１４…光源基板、１５…ＬＥＤ、１６…ベゼル、１７…電源ドライバ、１８…輝度調整部材、１８ａ…反射テープあるいは光吸収テープ、１８ｂ，１９…反射テープ。
【要約】
【課題】任意の画面サイズに対応した照明領域を得る際に、画面輝度の均一化を実現することができる照明システムを提供する。
【解決手段】光源１５を配設した光源基板１４と、光源からの光を内部で拡散して出射させる導光板１３と、導光板を背面側で保持する背面シャーシ１１とを有し、光源を導光板の一つの側面に対向して設けた照明モジュール１０ａ，１０ｂを複数配列し、少なくとも一部の隣接する照明モジュールにおいて、一方の導光板と背面シャーシの一部が他方の導光板と背面シャーシの前面に重ねられた照明システム１である。一方の導光板の側面のうち、他方の導光板の出射面１３ｇ上に配置された側面１３ｋに、一方の導光板の内部で拡散した光を出射させない輝度調整部材１８が設けられている。
【選択図】図５【図１】
0005564595.tif 000002
【図２】
0005564595.tif 000003
【図３】
0005564595.tif 000004
【図４】
0005564595.tif 000005
【図５】
0005564595.tif 000006
【図６】
0005564595.tif 000007